(57)【要約】【課題】チャタリング現象による電気ノイズを除去することができ、且つ、製造コストのさらなる低減が容易に図れるようになる遊技球検出器の提供。【解決手段】電源端子43A とグランド端子43C との間に機械式スイッチ27及び直流抵抗素子54を直列に接続し、直流抵抗素子53を介して、機械式スイッチ27及び直流抵抗素子54の接続点Ｐにトランジスタ51のベース端子51B を接続し、さらに、トランジスタ51のベース端子51B とグランド端子43C との間にコンデンサ52を接続し、これにより、機械式スイッチ27のチャタリング現象によって発生する電気ノイズをコンデンサ52に吸収させ、且つ、機械式スイッチ27及び直流抵抗素子54の位置を入れ換えるだけで、回路構成を変更せずに、出力信号の逆設定を可能にし、製造コストの低減を容易に図れるようにする。【選択図】    図４
2010017462.tif 000002
【特許請求の範囲】
【請求項１】
遊技球を通過させるために開口された通過孔と、先端部が前記通過孔の内部を通過する遊技球と干渉する干渉位置及び干渉しない非干渉位置の二位置間を移動可能に設けられた可動片と、前記干渉位置に向かって前記可動片を付勢する付勢手段と、前記可動片の移動に連動して開状態及び閉状態の一方から他方へ機械的に移行する一対の電気接点を有する機械式スイッチと、これらが設けられたケーシングとを備え、遊技球が前記通過孔を通過すると、当該遊技球が前記可動片を前記干渉位置から前記非干渉位置へ後退させ、前記機械式スイッチが開状態及び閉状態の一方から他方へ移行することで遊技球の通過を検出する遊技球検出器であって、
開閉状態を検出するための検出用電源装置によって所定の電圧が印加された状態で、前記機械式スイッチを開閉動作させることによって生じるチャタリング・ノイズを除去するチャタリング・ノイズ除去回路が設けられ、
このチャタリング・ノイズ除去回路には、
制御電圧が印加される入力端子及び内部状態を電気信号として取り出すための出力端子を有するとともに、前記入力端子に制御電圧が印加されると、前記出力端子及びグランドの間が導通状態及び遮断状態の一方から他方へ移行する無接点スイッチング素子と、
前記無接点スイッチング素子の前記入力端子及びグランドの間に接続された静電容量素子と、
過大な電流の流入を防止するために前記無接点スイッチング素子の前記入力端子に一端が接続された入力保護用直流抵抗素子と、
前記機械式スイッチと直列に接続され、当該機械式スイッチとの接続点に所定の電位を生じさせるための電位設定用直流抵抗素子とが設けられ、
前記検出用電源装置の出力端子とグランドとの間に前記機械式スイッチ及び前記電位設定用直流抵抗素子が接続されるとともに、前記機械式スイッチ及び前記電位設定用直流抵抗素子の接続点に前記入力保護用直流抵抗素子の他端が接続され、
前記機械式スイッチが開状態及び閉状態の一方から他方へ移行すると、前記無接点スイッチング素子を導通状態にする制御電圧が前記無接点スイッチング素子の入力端子に印加され、前記機械式スイッチが開状態及び閉状態の他方から一方へ移行すると、前記無接点スイッチング素子の入力端子に印加されていた前記制御電圧が解除されるように形成されていることを特徴とする遊技球検出器。
【請求項２】
前記チャタリング・ノイズ除去回路が前記ケーシングに設けられていることを特徴とする請求項１記載の遊技球検出器。
【請求項３】
互いに直列に接続された前記機械式スイッチ及び前記電位設定用直流抵抗素子は、前記機械式スイッチ側の一端がグランドに接続されるとともに、前記電位設定用直流抵抗素子側の他端が前記検出用電源装置の出力端子に接続され、
前記機械式スイッチが閉状態から開状態へ移行すると、前記無接点スイッチング素子を導通状態にする制御電圧が前記静電容量素子と前記無接点スイッチング素子の入力端子との接続点に印加され、前記無接点スイッチング素子が導通状態に移行し、反対に、前記機械式スイッチが開状態から閉状態へ移行すると、前記静電容量素子と前記無接点スイッチング素子の入力端子との接続点に印加されていた前記制御電圧が解除され、前記無接点スイッチング素子が遮断状態に移行するように形成したことを特徴とする請求項２記載の遊技球検出器。
【請求項４】
互いに直列に接続された前記機械式スイッチ及び前記電位設定用直流抵抗素子は、前記機械式スイッチ側の一端が前記検出用電源装置の出力端子に接続されるとともに、前記電位設定用直流抵抗素子側の他端がグランドに接続され、
前記機械式スイッチが開状態から閉状態へ移行すると、前記無接点スイッチング素子を導通状態にする制御電圧が前記静電容量素子と前記無接点スイッチング素子の入力端子との接続点に印加され、前記無接点スイッチング素子が導通状態に移行し、反対に、前記機械式スイッチが閉状態から開状態へ移行すると、前記静電容量素子と前記無接点スイッチング素子の入力端子との接続点に印加されていた前記制御電圧が解除され、前記無接点スイッチング素子が遮断状態に移行するように形成したことを特徴とする請求項２記載の遊技球検出器。
【発明の詳細な説明】
【技術分野】
【０００１】
本発明は、遊技球がケーシングに開口された通過孔を通過すると、この遊技球によって可動片が後退させられ、この可動片の後退によって機械式スイッチに設けられた接点を開状態及び閉状態の一方から他方へ移行させることにより、遊技球の通過を検出する遊技球検出器に関する。
【背景技術】
【０００２】
従来から、パチンコ機等の遊技機では、入賞口に入った遊技球を計数するために、当該入賞口を通過する遊技球を一つずつ検出する遊技球検出器が利用されている。
このような遊技球検出器としては、遊技球の検出方式がそれぞれ異なる光電方式の遊技球検出器、高周波発振方式の遊技球検出器、リードスイッチ方式の遊技球検出器、及び、機械接点方式の遊技球検出器等が知られている。
光電方式の遊技球検出器は、検出用の光を発する投光素子及び検出用の光を受ける受光素子を有するとともに、遊技球で検出用の光を遮断することで遊技球を検出するフォトインターラプタを利用したものである。
【０００３】
高周波発振方式の遊技球検出器は、空芯コイルを含んで高周波発振回路を構成し、強磁性体である鋼鉄製の遊技球が空芯コイルの近傍を通過すると、高周波発振回路の発振周波数が変化することを利用して遊技球を検出するものである。
リードスイッチ方式の遊技球検出器は、磁力で作動するリードスイッチを備え、強磁性体である鋼鉄製の遊技球がリードスイッチの近傍を通過すると、リードスイッチの接点状態が変化することで遊技球を検出するものである。
機械接点方式の遊技球検出器は、遊技球が通過すると位置の変位を生じる可動片と、この可動片の位置変位により開閉動作する機械接点とを備え、遊技球の通過によって位置が変位する可動片に機械接点を開閉させることで、遊技球の通過を検出するものである。
【０００４】
ここで、光電方式の遊技球検出器、高周波発振方式の遊技球検出器、及び、リードスイッチ式の遊技球検出器は、それぞれ比較的高価な部品や多くの部品を必要とするので、製造コストが高いものとなる。
すなわち、光電方式の遊技球検出器は、比較的高価なフォトインターラプタを必要とすることから、製造コストが高いものとなっている。
高周波発振方式の遊技球検出器は、空芯コイル、高周波発振回路、検波回路、波形整形回路及び信号処理回路等の多数の部品を必要とすることから、製造コストが高いものとなっている。
【０００５】
リードスイッチ方式の遊技球検出器は、比較的高価なリードスイッチを必要とすることから、製造コストが高いものとなっている。
また、リードスイッチ式の遊技球検出器、及び、機械接点方式の遊技球検出器では、遊技球を検出した際に作動させる機械接点を備えているので、機械接点が作動する際にチャタリング現象が発生し、このチャタリング現象によって生じる電気ノイズの悪影響を受けてしまう。
このため、前述の機械接点が開状態から閉状態へ移行するのに連動して、遮断状態から導通状態へ移行するスイッチング素子と、機械接点の開閉動作時のチャタリング現象による電気ノイズを除去する静電容量素子とを含んで構成された電子回路を備えた遊技球検出器が知られている（例えば、特許文献１参照）。
【０００６】
このような電子回路を備えた遊技球検出器によれば、機械接点の作動時のチャタリング現象で電気ノイズが発生しても、前述の電子回路が当該電気ノイズを除去するので、遊技球検出器の後段に接続される遊技球の計数装置等に電気ノイズが入力されることがなくなり、遊技球の誤検出を防止することができる。
【特許文献１】特開２００２−２２４３０３号
【発明の開示】
【発明が解決しようとする課題】
【０００７】
前述のような遊技球検出器では、遊技球の通過によって機械接点が開状態から閉状態へ移行するのに連動する電子回路の動作が、スイッチング素子の遮断状態から導通状態へ移行動作に限られるので、要するに、遊技球の通過時にスイッチング素子が導通状態になる動作に限定されるので、遊技球検出器の信号受信側の都合で、逆の動作、すなわち、遊技球の通過時にスイッチング素子を遮断状態にしたい場合には、スイッチング素子を入力信号に対して逆の動作をする電子回路に変更しなければならず、換言すると、異なる構成の２種類の電子回路を用意しなければならず、これにより、充分な量産効果が得られず、製造コストをさらに低減することが難しい、という問題がある。
【０００８】
そこで、各請求項にそれぞれ記載された各発明の目的は、チャタリング現象による電気ノイズを除去することができ、且つ、製造コストのさらなる低減が容易に図れるようになる遊技球検出器を提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技球(11)を通過させるために開口された通過孔(12)と、先端部(18)が前記通過孔(12)の内部を通過する遊技球(11)と干渉する干渉位置(α)及び干渉しない非干渉位置(β)の二位置間を移動可能に設けられた可動片(47)と、前記干渉位置(α)に向かって前記可動片(47)を付勢する付勢手段(26)と、前記可動片(47)の移動に連動して開状態及び閉状態の一方から他方へ機械的に移行する一対の電気接点(20, 22)を有する機械式スイッチ(27)と、これらが設けられたケーシング(38)とを備え、遊技球(11)が前記通過孔(12)を通過すると、当該遊技球(11)が前記可動片(47)を前記干渉位置(α)から前記非干渉位置(β)へ後退させ、前記機械式スイッチ(27)が開状態及び閉状態の一方から他方へ移行することで遊技球(11)の通過を検出する遊技球検出器(10)であって、開閉状態を検出するための検出用電源装置によって所定の電圧が印加された状態で、前記機械式スイッチ(27)を開閉動作させることによって生じるチャタリング・ノイズを除去するチャタリング・ノイズ除去回路(50)が設けられ、このチャタリング・ノイズ除去回路(50)には、制御電圧が印加される入力端子(51B) 及び内部状態を電気信号として取り出すための出力端子(51C) を有するとともに、前記入力端子(51B) に制御電圧が印加されると、前記出力端子(51C) 及びグランドの間が導通状態及び遮断状態の一方から他方へ移行する無接点スイッチング素子(51)と、前記無接点スイッチング素子(51)の前記入力端子(51B) 及びグランドの間に接続された静電容量素子(52)と、過大な電流の流入を防止するために前記無接点スイッチング素子(51)の前記入力端子(51B) に一端(53A) が接続された入力保護用直流抵抗素子(53)と、前記機械式スイッチ(27)と直列に接続され、当該機械式スイッチ(27)との接続点に所定の電位を生じさせるための電位設定用直流抵抗素子(54)とが設けられ、前記検出用電源装置の出力端子とグランドとの間に前記機械式スイッチ(27)及び前記電位設定用直流抵抗素子(54)が接続されるとともに、前記機械式スイッチ(27)及び前記電位設定用直流抵抗素子(54)の接続点(Ｐ)に前記入力保護用直流抵抗素子(53)の他端(53B) が接続され、前記機械式スイッチ(27)が開状態及び閉状態の一方から他方へ移行すると、前記無接点スイッチング素子(51)を導通状態にする制御電圧が前記無接点スイッチング素子(51)の入力端子(51B) に印加され、前記機械式スイッチ(27)が開状態及び閉状態の他方から一方へ移行すると、前記無接点スイッチング素子(51)の入力端子(51B) に印加されていた前記制御電圧が解除されるように形成されていることを特徴とする。
【００１０】
ここで、前記干渉位置とは、遊技球が通過孔の内部を通過する際に、可動片の先端部が遊技球の通過の障害物となり、当該位置に可動片の先端部を固定した場合、遊技球の通過が不可能となる位置をいう。なお、実際には、遊技球が通過孔の内部を通過するにあたり、可動片の先端部が移動して、遊技球の通過の障害物にならないので、遊技球は、通過孔の内部を円滑に通過することができるようになっている。
また、前記非干渉位置とは、遊技球が通過孔の内部を通過するにあたり、可動片の先端部が遊技球の通過の障害物とならず、当該位置に可動片の先端部を固定しても、遊技球の通過に何ら支障をきたさない位置をいう。
【００１１】
そして、前記無接点スイッチング素子としては、機械的接点を有していない半導体スイッチング素子、例えば、電力制御用トランジスタ等が採用できる。そして、前記無接点スイッチング素子として電力制御用トランジスタを採用する場合、電力制御用トランジスタは、そのベース端子を入力端子とするとともに、そのコレクタ端子を出力端子とし、さらに、そのエミッタ端子をグランドに直接接続されるグランド端子とし、且つ、ベース端子に制御電圧が印加されると、コレクタ端子及びエミッタ端子の間が導通状態となるように接続するのが好ましい。
（請求項２）
（特徴点）
請求項２記載の発明は、前述した請求項１に記載の発明において、次の特徴点を備えているものである。
【００１２】
すなわち、請求項２記載の発明は、前記チャタリング・ノイズ除去回路(50)が前記ケーシング(38)に設けられていることを特徴とする。
（請求項３）
（特徴点）
請求項３記載の発明は、前述した請求項２に記載の発明において、次の特徴点を備えているものである。
すなわち、請求項３記載の発明は、互いに直列に接続された前記機械式スイッチ(27)及び前記電位設定用直流抵抗素子(54)における前記機械式スイッチ(27)側の一端(56)がグランドに接続されるとともに、前記電位設定用直流抵抗素子(54)側の他端(57)が前記検出用電源装置の出力端子に接続され、前記機械式スイッチ(27)が閉状態から開状態へ移行すると、前記無接点スイッチング素子(51)を導通状態にする制御電圧が前記静電容量素子(52)と前記無接点スイッチング素子(51)の入力端子(51B) との接続点(Ｑ)に印加され、前記無接点スイッチング素子(51)が導通状態に移行し、反対に、前記機械式スイッチ(27)が開状態から閉状態へ移行すると、前記静電容量素子(52)と前記無接点スイッチング素子(51)の入力端子(51B) との接続点(Ｑ)に印加されていた前記制御電圧が解除され、前記無接点スイッチング素子(51)が遮断状態に移行するように形成したことを特徴とする。
【００１３】
（請求項４）
（特徴点）
請求項４記載の発明は、前述した請求項２に記載の発明において、次の特徴点を備えているものである。
すなわち、請求項４記載の発明は、互いに直列に接続された前記機械式スイッチ(27)及び前記電位設定用直流抵抗素子(54)における前記機械式スイッチ(27)側の一端が前記検出用電源装置の出力端子に接続されるとともに、前記電位設定用直流抵抗素子(54)側の他端がグランドに接続され、前記機械式スイッチ(27)が開状態から閉状態へ移行すると、前記無接点スイッチング素子(51)を導通状態にする制御電圧が前記静電容量素子(52)と前記無接点スイッチング素子(51)の入力端子(51B) との接続点(Ｑ)に印加され、前記無接点スイッチング素子(51)が導通状態に移行し、反対に、前記機械式スイッチ(27)が閉状態から開状態へ移行すると、前記静電容量素子(52)と前記無接点スイッチング素子(51)の入力端子(51B) との接続点(Ｑ)に印加されていた前記制御電圧が解除され、前記無接点スイッチング素子(51)が遮断状態に移行するように形成したことを特徴とする。
【発明の効果】
【００１４】
（請求項１の効果）
以上のように構成されている本発明は、以下に記載されるような効果を奏する。
すなわち、請求項１記載の発明によれば、入力端子に制御電圧が印加されると、出力端子及びグランドの間が導通状態及び遮断状態の一方から他方へ移行する無接点スイッチング素子と、無接点スイッチング素子の入力端子及びグランドの間に接続された静電容量素子とをチャタリング・ノイズ除去回路に設け、さらに、機械式スイッチが開状態及び閉状態の一方から他方へ移行すると、無接点スイッチング素子を導通状態にする制御電圧が無接点スイッチング素子の入力端子に印加され、また、機械式スイッチが開状態及び閉状態の他方から一方へ移行すると、無接点スイッチング素子の入力端子に印加されていた制御電圧が解除されるように、チャタリング・ノイズ除去回路を形成したので、遊技球の通過により可動片が機械式スイッチの接点を開状態及び閉状態の一方から他方へ移行させるのに伴い、無接点スイッチング素子に備えられた入力端子への制御電圧の印加又は解除がなされ、無接点スイッチング素子が導通状態及び遮断状態の一方から他方へ移行するとともに、機械式スイッチの接点が開状態及び閉状態の一方から他方へ移行する際のチャタリング現象によって発生する電気ノイズが静電容量素子によって除去される。
【００１５】
従って、無接点スイッチング素子の遮断状態及び導通状態の一方から他方への移行を電気的に検出することにより、遊技球が通過孔を通過したことの検出が行えるうえ、機械式スイッチの接点作動時のチャタリング現象で発生した電気ノイズも除去されるので、遊技球検出器の後段に接続される遊技球の計数装置等に電気ノイズが入力されることがなくなり、遊技球の誤検出を防止することができる。
この際、機械式スイッチとの接続点に所定の電位を生じさせるための電位設定用直流抵抗素子を機械式スイッチと直列に接続し、且つ、検出用電源装置の出力端子とグランドとを直列前記機械式スイッチ及び電位設定用直流抵抗素子を介して接続、換言すると、検出用電源装置の出力端子とグランドとの間に、直列接続した機械式スイッチ及び電位設定用直流抵抗素子を配置し、且つ、入力保護用直流抵抗素子を介して、機械式スイッチ及び電位設定用直流抵抗素子の接続点を無接点スイッチング素子の入力端子に接続するようにしたので、遊技球の通過により開状態となる機械式スイッチを採用した場合、直列接続した機械式スイッチ及び電位設定用直流抵抗素子のうち、機械式スイッチをグランド側に配置すれば、遊技球の通過により、無接点スイッチング素子が導通状態に移行するようになり、逆に、電位設定用直流抵抗素子をグランド側に配置すれば、遊技球の通過により、無接点スイッチング素子が遮断状態に移行するようになり、機械式スイッチ及び電位設定用直流抵抗素子の接続位置を入れ換えるだけで、無接点スイッチング素子の動作を逆方向に設定することができる。
【００１６】
従って、遊技球検出器の信号受信側の都合で、遊技球の通過時に無接点スイッチング素子が遮断状態となる遊技球検出器、及び、遊技球の通過時に無接点スイッチング素子が導通状態となる遊技球検出器の両方が必要になる場合でも、機械式スイッチ及び電位設定用直流抵抗素子の接続位置を入れ換えるだけで対応でき、例えば、接続を切り換えるための切換スイッチ、プリント基板の配線パターンのトリミング、あるいは、接続を選択するジャンパ線等の採用により、チャタリング・ノイズ除去回路の変更が不要となり、これにより、１種類の電子回路での対応が可能となり、充分な量産効果を確保でき、製造コストのさらなる低減が容易に図れるようになる。
【００１７】
（請求項２の効果）
請求項２記載の発明によれば、上記した請求項１記載の発明の効果に加え、次のような効果を奏する。
すなわち、請求項２記載の発明によれば、チャタリング・ノイズ除去回路をケーシングに設け、遊技球検出器にチャタリング・ノイズ除去回路を一体化させたので、遊技球検出器を遊技機に設置するにあたり、遊技機側にチャタリング・ノイズ除去回路を取り付ける部位を確保するための改造を遊技機に施す必要がなく、遊技球検出器をそのまま遊技機に設置することができ、遊技球検出器の設置についての便宜を図ることができる。
【００１８】
（請求項３の効果）
請求項３記載の発明によれば、上記した請求項２記載の発明の効果に加え、次のような効果を奏する。
すなわち、請求項３記載の発明によれば、直列接続された機械式スイッチ及び電位設定用直流抵抗素子における電位設定用直流抵抗素子側の一端を検出用電源装置の出力端子に接続し、これとは反対側となる機械式スイッチ側の他端をグランドに接続し、機械式スイッチが開状態へ移行すると、制御電圧が静電容量素子と無接点スイッチング素子の入力端子との接続点に印加され、無接点スイッチング素子が導通状態に移行する一方、機械式スイッチが閉状態へ移行すると、静電容量素子と無接点スイッチング素子の入力端子との接続点に印加されていた制御電圧が解除され、無接点スイッチング素子が遮断状態に移行するようになるので、機械式スイッチとして遊技球の通過時にその接点が開状態となるものを採用すれば、遊技球の通過時に無接点スイッチング素子が導通状態となる遊技球検出器を実現することができる。
【００１９】
（請求項４の効果）
請求項４記載の発明によれば、上記した請求項２記載の発明の効果に加え、次のような効果を奏する。
すなわち、請求項４記載の発明によれば、直列接続された機械式スイッチ及び電位設定用直流抵抗素子における機械式スイッチ側の一端を検出用電源装置の出力端子に接続し、これとは反対側となる電位設定用直流抵抗素子側の他端をグランドに接続し、機械式スイッチが閉状態へ移行すると、制御電圧が静電容量素子と無接点スイッチング素子の入力端子との接続点に印加され、無接点スイッチング素子が導通状態に移行する一方、機械式スイッチが開状態へ移行すると、静電容量素子と無接点スイッチング素子の入力端子との接続点に印加されていた制御電圧が解除され、無接点スイッチング素子が遮断状態に移行するようになるので、機械式スイッチとして遊技球の通過時にその接点が開状態となるものを採用すれば、遊技球の通過時に無接点スイッチング素子が遮断状態となる遊技球検出器を実現することができる。
【発明を実施するための最良の形態】
【００２０】
以下に、本発明を実施するための最良の形態である一実施形態について、図面を参照しながら説明する。
（図面の説明）
図１〜図８は、本実施形態を示すものであり、図１は、本実施形態に係る遊技球検出器示す分解斜視図、図２は、本実施形態に係る遊技球検出器を示す平面図、図３は、本実施形態に係る遊技球検出器の遊技球通過部を示す平面図、図４は、本実施形態に係るチャタリング・ノイズ除去回路の一接続例を示す回路図、図５は、図４に示した遊技球検出器のチャタリング・ノイズ除去回路の出力波形を示すグラフ、図６は、本実施形態に係るチャタリング・ノイズ除去回路の異なる接続例を示す回路図、図７は、図６に示した遊技球検出器のチャタリング・ノイズ除去回路の出力波形を示すグラフ、図８は、本実施形態に係る選択手段を示す回路図である。
【００２１】
（遊技球検出器10の概要）
本実施形態に係る遊技球検出器10は、弾球遊技機であるパチンコ機等の入賞口に取り付けられ、当該入賞口を通過する遊技球の検出を行うものである。
すなわち、図１及び図２において、遊技球検出器10は、全体が直方体の箱状に形成されたケーシング38を備え、このケーシング38に遊技球11を検出するための機構と、チャタリング・ノイズを除去するための回路とを設けたものである。
ケーシング38は、図１及び図２の如く、その周辺部分が平面視で長方形状となったものであり、この周辺部分に沿って形成された枠部49と、この枠部49の内部を図１中左右に仕切るとともに、平面視でＬ字形に折れ曲がった隔壁部48とを備えている。
【００２２】
そして、枠部49の内側には、隔壁部48を挟んで図１中左側に、遊技球11を通過させるための通過孔12を備えた遊技球通過部13が設けられ、隔壁部48を挟んで図１中右側に、遊技球11を検出する機構、及び、チャタリング・ノイズを除去する回路を収納する空間を備えた機構回路部14が形成されている。なお、通過孔12は、ケーシング38を図１中上下方向に貫通する孔となっている。
ここで、長方形状に形成された枠部49の四つの辺のうち、その二つの長辺、及び、遊技球通過部13側に配置された一つの短辺には、それぞれ遊技球検出器10自身の全高となる高さ寸法を有する側壁部49A, 49Bが設けられている。枠部49の残りの短辺には、遊技球検出器10自身の全高の半分の高さ寸法を有する側壁部49C が設けられている。
【００２３】
遊技球通過部13に設けられた通過孔12は、図３に示すように、全体が六角形に形成されている。ここで、通過孔12を囲む六つの側面28〜32は、互いに対向するもの同士、具体的には、側面28, 29、側面30, 33及び側面31, 32が平行となるように形成され、その面間寸法が、遊技球11の直径寸法Ｌよりもやや大きい寸法Ｌ１となっている。
また、これらの側面28〜32の各々は、通過孔12の入口及び出口が奥の部分より広がるように、断面が「く」字形に折れ曲がったものとなっている。
そして、通過孔12を囲む側面29, 31を備えた隔壁部48には、後述する当接部18を挿通させるために、図１の如く、側面29の一部を四角形状に切り欠くようにして形成された挿通部46が設けられている。
【００２４】
ケーシング38の機構回路部14は、図１及び図２に示すように、一対の側壁部49A の間に囲まれた凹部の底面となる底板部44を備えたものとなっている。そして、機構回路部14は、底板部44の上方に配置される蓋部40によって内部が隠蔽されるようになっている。
このうち、底板部44には、その表面から突出する一対の軸部41, 42が所定間隔をおいて設けられている。なお、軸部41は、軸部42よりも細径に形成されている。
そして、底板部44には、遊技球11を検出する機構、及び、チャタリング・ノイズを除去する回路が形成された基板15が取り付けられるようになっている。基板15は、全体が長方形状に形成され、その長手方向がケーシング38の長手方向に沿った状態で底板部44に固定されるものである。
【００２５】
すなわち、基板15は、底板部44側の軸部41, 42のそれぞれに対応した複数の孔部15A, 15Bを有し、これらの孔部15A, 15Bのそれぞれに底板部44側の軸部41, 42を挿通させ、この状態で底板部44に固定されている。
ここで、底板部44に設けられた軸部41は、基板15を図１下方から上方へ貫通して、その先端側の部分が基板15の表面から突出している。そして、軸部41の先端側の部分は、当該軸部41を起点として互いに反対に延びる一対のアーム部16, 23を有する可動片47を回動可能に軸支している。
可動片47は、通過孔12を通過する遊技球11に当接させる先端部として形成されるとともに、一方のアーム部16の先端に設けられた当接部18と、可動片47の中心位置に配置されるとともに、底板部44側の軸部41が内部に挿入された筒状の軸受部19と、アーム部16の先端に設けられた当接部18と重量的にバランスさせるために、もう一方のアーム部23の先端に設けられたバランサ24と、軸受部19の基板15とは反対側の端部に配置されるとともに、軸受部19と同心の円盤状に形成された鍔部25とを備えたものとなっている。
【００２６】
このうち、鍔部25は、軸受部19から当接部18までの寸法よりも小さい半径とされたものである。この鍔部25の周縁部分には、基板15に向かって突出する棒状の操作ピン21が設けられている。この操作ピン21は、後述する一対の電気接点である接点ピン20及び接点片22のうち、接点片22と係合し、これらの接点ピン20及び接点片22を閉状態から開状態へ移行させる部位である。
基板15の図１中上側の表面には、図１中上方へ突出する筒状のボス部17が設けられている。このボス部17は、適度な弾性を有する青燐銅等の電気良導体の線材を弦巻状に曲げたトーションバネ26を基板15に取り付けるためのものである。
【００２７】
すなわち、トーションバネ26は、線材が弦巻状に曲げられてリング状にされたリング部26A を備えるとともに、線材の両端部が前述した接点片22となっている。そして、トーションバネ26は、弦巻状のリング部26A の内側に基板15側のボス部17をきつく嵌合させることにより、基板15に取り付けられている。
また、基板15には、孔部15A と孔部15B とを結ぶ中心線の両側に、所定間隔をおいて配置された一対の接点ピン20が突設されている。これら一対の接点ピン20は、基板15の図１中上側の表面から図１中上方へ突出するものである。これら一対の接点ピン20の間には、トーションバネ26の一対の接点片22が配置されている。
【００２８】
ここで、トーションバネ26の一対の接点片22は、トーションバネ26自身の弾性力によって互いに離れる方向に付勢されている。これにより、トーションバネ26の接点片22の各々は、トーションバネ26の弾性力に抗する力が外部から加えられない限り、該当する接点ピン20と機械的に接触し、且つ、電気的に導通状態となるように形成されている。
このような接点ピン20及び接点片22によって一対の電気接点が形成され、遊技球検出器10には、接点ピン20及び接点片22が二個ずつ設けられていることから、都合、二組の電気接点が設けられている。なお、接点ピン20及びトーションバネ26は、表面全体に金メッキが施されたものとなっている。
【００２９】
この際、可動片47は、図３の如く、その当接部18が通過孔12の内部を通過する遊技球11と干渉する干渉位置α、及び、干渉しない非干渉位置βの二位置間を移動可能に設けられている。
更に詳しく説明すると、干渉位置αは、遊技球11が通過孔12の内部を通過する際に、可動片47の当接部18が遊技球11の通過の障害物となり、当該干渉位置αに可動片47の当接部18を固定した場合、遊技球11の通過が不可能となる位置となっている。
また、非干渉位置βは、遊技球11が通過孔12の内部を通過するにあたり、可動片47の当接部18が遊技球11の通過の障害物とならず、当該非干渉位置βに可動片47の当接部18を固定しても、遊技球11の通過に何ら支障をきたさない位置となっている。
【００３０】
そして、遊技球11は、通過孔12に入ると同時に、トーションバネ26の弾性力に抗して、可動片47を干渉位置αから非干渉位置βへ移動させ、この状態で通過孔12を通過するようになっている。可動片47は、遊技球11が通過した後、トーションバネ26の弾性力によって、非干渉位置βから干渉位置αに戻るようになっている。
以上において、トーションバネ26は、その弾性力で干渉位置αに向かって可動片47を付勢する付勢手段となっている。
また、トーションバネ26の接点片22及び接点ピン20は、可動片47の移動に連動して開状態及び閉状態の一方から他方へ機械的に移行する一対の電気接点であり、これらのトーションバネ26の接点片22及び接点ピン20を含んで基板15の表面に機械式スイッチ27が形成されている。
【００３１】
さらに、ケーシング38は、通過孔12、可動片47、トーションバネ26、及び、機械式スイッチ27が設けられたものとなっている。
そして、遊技球検出器10は、遊技球11が通過孔12を通過すると、当該遊技球11が可動片47を干渉位置αから非干渉位置βへ後退させ、機械式スイッチ27を閉状態から開状態へしさ、これにより、遊技球11の通過を検出するものとなっている。
このような遊技球検出器10には、図１及び図２の如く、基板15におけるトーションバネ26の図１中右方の表面に配置されたトランジスタ51、コンデンサ52、及び、直流抵抗素子53,54,55によってチャタリング・ノイズ除去回路50が形成されている。
【００３２】
また、基板15の図１中右側の端縁には、チャタリング・ノイズ除去回路50を駆動する電源電圧が印加される電源端子43A と、チャタリング・ノイズ除去回路50の検出信号を出力する出力端子43B と、チャタリング・ノイズ除去回路50を接地するためのグランド端子43C とが設けられている。このうち、電源端子43A には、遊技球11の検出を行うための電圧を発生させる図示しないの検出用電源装置の出力端子が接続されるようになっている。
（チャタリング・ノイズ除去回路50）
次に、チャタリング・ノイズ除去回路50について詳しく説明する。
チャタリング・ノイズ除去回路50は、前述したように、図４の如く、トランジスタ51、コンデンサ52、及び、直流抵抗素子53,54,55を備えた電子回路となっている。
【００３３】
また、チャタリング・ノイズ除去回路50には、前述したように、電源電圧が印加される電源端子43A と、検出信号を出力する出力端子43B と、接地のためのグランド端子43C とが設けられている。
このうち、トランジスタ51は、ベース端子51B 、コレクタ端子51C 、及び、エミッタ端子51E の三つの端子を有する半導体無接点スイッチング素子である。
ここで、ベース端子51B は、所定電圧値よりも大きな値の制御電圧が印加される入力端子となっている。コレクタ端子51C は、トランジスタ51の内部状態を外部へ電気信号として取り出すための出力端子となっている。エミッタ端子51E は、グランドに接続される接地端子となっている。
【００３４】
このようなトランジスタ51は、ベース端子51Bに制御電圧が印加されると、コレクタ端子51C とエミッタ端子51E との間、換言すると、コレクタ端子51C とグランドとの間が遮断状態から導通状態へ移行するようになっている。
コンデンサ52は、トランジスタ51のベース端子51B とグランドとの間に接続された静電容量素子となっている。
直流抵抗素子53は、過大な電流の流入を防止するために、トランジスタ51のベース端子51B に一端53A が接続された入力保護用直流抵抗素子である。
直流抵抗素子54は、電源電圧が印加される電源端子43A と接地されるグランド端子43C との間において、機械式スイッチ27の電気接点である接点片22及び接点ピン20と直列に接続されたものとなっている。換言すると、直流抵抗素子54は、当該機械式スイッチ27との接続点に所定の電位を生じさせるための電位設定用直流抵抗素子となっている。
【００３５】
直流抵抗素子55は、トランジスタ51がＯＮ状態になった際、換言すると、トランジスタ51のコレクタ端子51C 及びエミッタ端子51E が導通状態になった際に、トランジスタ51のコレクタ端子51C に過大な電流が流れないように、トランジスタ51のコレクタ端子51C に一端が接続された電流制限用直流抵抗素子である。
なお、直流抵抗素子55は、トランジスタ51のコレクタ端子51C と電源電圧が印加される電源端子43A との間に接続されている。
ここで、図示しない検出用電源装置の出力端子とグランドとの間、すなわち、電源端子43A とグランド端子43C との間には、図４に示すように、機械式スイッチ27の接点片22及び接点ピン20並びに電位設定用の直流抵抗素子54が接続されている。
【００３６】
そして、チャタリング・ノイズ除去回路50は、製造の最終段階で、機械式スイッチ27及び直流抵抗素子54との接続位置について、機械式スイッチ27がグランド側に配置される接続、及び、直流抵抗素子54がグランド側に配置される接続のうち、一方の接続を選択できるように形成されている。
図４には、機械式スイッチ27がグランド側が接続された接続例が示されている。図４において、互いに直列に接続された機械式スイッチ27及び直流抵抗素子54は、機械式スイッチ27側の一端56がグランド端子43C に接続されている。また、互いに直列に接続された機械式スイッチ27及び直流抵抗素子54は、直流抵抗素子54側の他端57が検出用電源装置の出力端子、換言すると、電源端子43A に接続されている。
【００３７】
さらに、機械式スイッチ27及び直流抵抗素子54との接続点Ｐには、入力保護用の直流抵抗素子53の他端53B が接続されている。
このようなチャタリング・ノイズ除去回路50は、機械式スイッチ27の接点片22及び接点ピン20が閉状態から開状態へ移行すると、機械式スイッチ27の接点信号に応じて節度のある電気信号が出力されるように、トランジスタ51を導通状態にする制御電圧が、コンデンサ52とトランジスタ51のベース端子51B との接続点Ｑに印加され、トランジスタ51が導通状態に移行するように形成されている。
一方、チャタリング・ノイズ除去回路50は、機械式スイッチ27の接点片22及び接点ピン20が開状態から閉状態へ移行すると、コンデンサ52とトランジスタ51のベース端子51B との接続点Ｑに印加されていた制御電圧が解除され、トランジスタ51が遮断状態に移行するように形成されている。
【００３８】
ここで、遊技球検出器10の通過孔12を遊技球11が通過する際に、遊技球11が時刻T1から時刻T2までの間、遊技球11が可動片47を干渉位置αから非干渉位置βへ後退させ、この間、機械式スイッチ27の接点片22及び接点ピン20が閉状態から開状態へ移行したとする。
するとと、チャタリング・ノイズ除去回路50の出力端子43B とグランド端子43C との間に生じる出力電圧V1は、図５に示すように、時刻T1において、それ以前のＨｉｇｈ状態からＬｏｗ状態へ移行し、時刻T2においてＬｏｗ状態からＨｉｇｈ状態へ戻るようになっている。
従って、チャタリング・ノイズ除去回路50を備えた遊技球検出器10は、遊技球11が通過しないときは、Ｈｉｇｈ状態の電圧信号を出力し、遊技球11が通過したときは、Ｌｏｗ状態の電圧信号を出力し、これにより、遊技球11の通過を検出するものとなっている。
【００３９】
続いて、互いに直列に接続された機械式スイッチ27及び直流抵抗素子54のうち、機械式スイッチ27ではなく、直流抵抗素子54がグランド側が接続されたチャタリング・ノイズ除去回路50について説明する。
すなわち、図６に示すように、互いに直列に接続された機械式スイッチ27及び直流抵抗素子54のうち、直流抵抗素子54側の他端57がグランド端子43C に接続されている。また、互いに直列に接続された機械式スイッチ27及び直流抵抗素子54は、機械式スイッチ27側の一端56が検出用電源装置の出力端子、換言すると、電源端子43A に接続されている。
このようなチャタリング・ノイズ除去回路50は、機械式スイッチ27の接点片22及び接点ピン20が開状態から閉状態へ移行すると、機械式スイッチ27の接点信号に応じて節度のある電気信号が出力されるように、トランジスタ51を導通状態にする制御電圧が、コンデンサ52とトランジスタ51のベース端子51B との接続点Ｑに印加され、トランジスタ51が導通状態に移行するように形成されている。
【００４０】
一方、チャタリング・ノイズ除去回路50は、機械式スイッチ27の接点片22及び接点ピン20が閉状態から開状態へ移行すると、コンデンサ52とトランジスタ51のベース端子51B との接続点Ｑに印加されていた制御電圧が解除され、トランジスタ51が遮断状態に移行するように形成されている。
ここで、遊技球検出器10の通過孔12を遊技球11が通過する際に、遊技球11が時刻T1から時刻T2までの間、遊技球11が可動片47を干渉位置αから非干渉位置βへ後退させ、この間、機械式スイッチ27の接点片22及び接点ピン20が閉状態から開状態へ移行したとする。
するとと、チャタリング・ノイズ除去回路50の出力端子43B とグランド端子43C との間に生じる出力電圧V1は、図７に示すように、時刻T1において、それ以前のＬｏｗ状態からＨｉｇｈ状態へ移行し、時刻T2においてＨｉｇｈ状態からＬｏｗ状態へ戻るようになっている。
【００４１】
従って、チャタリング・ノイズ除去回路50を備えた遊技球検出器10は、遊技球11が通過しないときは、Ｌｏｗ状態の電圧信号を出力し、遊技球11が通過したときは、Ｈｉｇｈ状態の電圧信号を出力し、これにより、遊技球11の通過を検出するものとなっている。
次に、チャタリング・ノイズ除去回路50に機械式スイッチ27がグランド側に配置される接続、及び、直流抵抗素子54がグランド側に配置される接続の一方を容易に選択できるようにする選択手段について簡単に説明する。
図８（Ａ）には、配線をトリミング部で切断するトリミング式の選択手段が示され、図８（Ｂ）には、配線をジャンパ線で完成させるジャンパ式の選択手段が示されている。
【００４２】
すなわち、チャタリング・ノイズ除去回路50には、図８に示すように、機械式スイッチ27及び直流抵抗素子54における機械式スイッチ27側の一端56をグランド端子43C に接続する配線58A と、機械式スイッチ27及び直流抵抗素子54における直流抵抗素子54側の他端57を電源端子43A に接続する配線58B と、機械式スイッチ27側の一端56を電源端子43A に接続する配線59A と、直流抵抗素子54側の他端57をグランド端子43C に接続する配線59B とが設けられている。
トリミング式の選択手段では、図８（Ａ）の如く、配線59A, 59Bに形成されたトリミング部58C 、及び、配線58A, 58Bに形成されたトリミング部59C のいずれか一方を切断することにより、機械式スイッチ27がグランド側に配置される接続、及び、直流抵抗素子54がグランド側に配置される接続の一方を容易に選択できるようになっている。
【００４３】
さらに具体的に説明すると、トリミング式の選択手段では、図８（Ａ）の如く、配線59A, 59Bに形成されたトリミング部58C をレーザー光線でトリミングする、あるいは、基板15の端縁から突出するタブ部15D をカッター等で切除すれば、トリミング部58C が切断され、これにより、機械式スイッチ27がグランド側に配置される接続を選択することが容易に行える。
反対に、図８（Ａ）の如く、配線58A, 58Bに形成されたトリミング部59C をレーザー光線でトリミングする、あるいは、基板15の端縁から突出するタブ部15C をカッター等で切除すれば、トリミング部59C が切断され、これにより、機械式スイッチ27がグランド側に配置される接続を選択することが容易に行える。
【００４４】
一方、ジャンパ式の選択手段では、図８（Ｂ）の如く、配線58A, 58Bに形成された破断部58D, 58E、及び、配線59A, 59Bに形成された破断部59D, 59Eのいずれか一方を、ジャンパ線60A, 60Bで接続することにより、機械式スイッチ27がグランド側に配置される接続、及び、直流抵抗素子54がグランド側に配置される接続の一方を容易に選択できるようになっている。
すなわち、配線58A, 58Bに形成された破断部58D, 58Eをジャンパ線60A, 60Bで接続することにより、機械式スイッチ27がグランド側に配置される接続を選択することが容易に行える。反対に、配線59A, 59Bに形成された破断部59D, 59Eをジャンパ線60A, 60Bで接続することにより、機械式スイッチ27がグランド側に配置される接続を選択することが容易に行える。
【００４５】
前述のような本実施形態によれば、次のような効果が得られる。
すなわち、ベース端子51B に所定の制御電圧が印加されると、出力端子であるコレクタ端子51C と、グランド端子であるエミッタ端子51E との間が遮断状態から導通状態へ移行するトランジスタ51と、トランジスタ51のベース端子51B 及びグランド端子43C の間に接続されたコンデンサ52とをチャタリング・ノイズ除去回路50に設け、さらに、機械式スイッチ27の接点片22及び接点ピン20が開状態及び閉状態の一方から他方へ移行すると、トランジスタ51を導通状態にする制御電圧がトランジスタ51のベース端子51B に印加され、また、機械式スイッチ27の接点片22及び接点ピン20が開状態及び閉状態の他方から一方へ移行すると、トランジスタ51のベース端子51B に印加されていた制御電圧が解除されるように、チャタリング・ノイズ除去回路50を形成したので、遊技球11の通過により可動片47が機械式スイッチ27の接点片22及び接点ピン20を閉状態から開状態移行させるのに伴い、トランジスタ51に備えられたベース端子51B への制御電圧の印加あるいは解除がなされ、トランジスタ51が導通状態及び遮断状態の一方から他方へ移行するとともに、機械式スイッチ27の接点片22及び接点ピン20の一方から他方へ移行する際のチャタリング現象によって発生する電気ノイズがコンデンサ52によって除去される。
【００４６】
従って、トランジスタ51の遮断状態及び導通状態の一方から他方への移行を電気的に検出することにより、遊技球11が通過孔12を通過したことの検出が行えるうえ、機械式スイッチ27の接点片22及び接点ピン20が開閉作動する際のチャタリング現象で発生した電気ノイズも除去されるので、遊技球検出器10の後段に接続される遊技球11の計数装置等に電気ノイズが入力されることがなくなり、遊技球11の誤検出を防止することができる。
この際、機械式スイッチ27との接続点に所定の電位を生じさせるための電位設定用の直流抵抗素子54を機械式スイッチ27と直列に接続し、且つ、電源端子43A とグランド端子43C との間に直列接続した機械式スイッチ27及び直流抵抗素子54を接続し、且つ、入力保護用の直流抵抗素子53を介して、機械式スイッチ27及び直流抵抗素子54の接続点Ｐをトランジスタ51のベース端子51B に接続するようにしたので、直列接続した機械式スイッチ27及び直流抵抗素子54のうち、機械式スイッチ27をグランド側に配置すれば、遊技球11の通過により機械式スイッチ27の接点片22及び接点ピン20が開状態となると、トランジスタ51が導通状態に移行するようになり、逆に、直流抵抗素子54をグランド側に配置すれば、遊技球11の通過により機械式スイッチ27の接点片22及び接点ピン20が開状態となると、トランジスタ51が遮断状態に移行するようになり、機械式スイッチ27及び直流抵抗素子54の接続位置を入れ換えるだけで、トランジスタ51の動作を逆方向に設定することができる。
【００４７】
従って、遊技球検出器10の信号受信側の都合で、遊技球11の通過時にトランジスタ51が遮断状態となる遊技球検出器10、及び、遊技球11の通過時にトランジスタ51が導通状態となる遊技球検出器10の両方が必要になる場合でも、機械式スイッチ27及び直流抵抗素子54の接続位置を入れ換えるだけで対応でき、例えば、接続を切り換えるための切換スイッチ、プリント基板の配線パターンのトリミング、あるいは、接続を選択するジャンパ線等の採用により、チャタリング・ノイズ除去回路10の変更が不要となり、これにより、１種類の電子回路で対応することが可能となり、充分な量産効果を確保でき、製造コストのさらなる低減を容易に図ることができる。
【００４８】
また、チャタリング・ノイズ除去回路50をケーシング38内に設け、遊技球検出器10にチャタリング・ノイズ除去回路50を一体化させたので、遊技球検出器10を遊技機に設置するにあたり、遊技機側にチャタリング・ノイズ除去回路50を取り付ける部位を確保するための改造を遊技機に施す必要がなく、遊技球検出器10をそのまま遊技機に設置することができ、遊技球検出器10の設置についての便宜を図ることができる。
さらに、トリミング部58C をトリミングする、あるいは、破断部58D, 58Eをジャンパ線60A, 60Bで接続する等により、直列接続された機械式スイッチ27及び直流抵抗素子54のうち、機械式スイッチ27側の一端56をグランド端子43C に接続し、これとは反対側となる直流抵抗素子54側の他端57を電源端子43A に接続し、機械式スイッチ27が開状態へ移行すると、制御電圧がコンデンサ52とトランジスタ51のベース端子51B との接続点Ｑに印加され、トランジスタ51が導通状態に移行する一方、機械式スイッチ27が閉状態へ移行すると、コンデンサ52とトランジスタ51のベース端子51B との接続点Ｑに印加されていた制御電圧が解除され、トランジスタ51が遮断状態に移行するようにしたので、遊技球11の通過時にトランジスタ51が導通状態となる遊技球検出器10を容易に実現することができる。
【００４９】
また、トリミング部59C をトリミングする、あるいは、破断部59D, 59Eをジャンパ線60A, 60Bで接続する等により、直列接続された機械式スイッチ27及び直流抵抗素子54のうち、機械式スイッチ27側の一端56を電源端子43A に接続し、これとは反対側となる直流抵抗素子54側の他端57をグランド端子43C に接続し、機械式スイッチ27が閉状態へ移行すると、制御電圧がコンデンサ52とトランジスタ51のベース端子51B との接続点Ｑに印加され、トランジスタ51が導通状態に移行する一方、機械式スイッチ27が開状態へ移行すると、コンデンサ52とトランジスタ51のベース端子51B との接続点Ｑに印加されていた制御電圧が解除され、トランジスタ51が遮断状態に移行するようにしたので、遊技球11の通過時にトランジスタ51が遮断状態となる遊技球検出器10を容易に実現することができる。
【００５０】
なお、本発明は、前記実施形態に限定されるものではなく、本発明の目的を達成できる範囲における変形及び改良などをも含むものである。
例えば、スイッチング素子としては、バイポーラトランジスタに限らず、ジャンクションＦＥＴやＭＯＳＦＥＴ等の電界効果トランジスタ、あるいは、機械的に可動する電気接点を電磁コイルで駆動するリレー装置でもよく、スイッチング素子の具体的な構造や構成は、実施にあたり適宜採用すればよい。
【図面の簡単な説明】
【００５１】
【図１】本発明の一実施形態に係る遊技球検出器示す分解斜視図である。
【図２】前記実施形態に係る遊技球検出器を示す平面図である。
【図３】前記実施形態に係る遊技球検出器の遊技球通過部を示す平面図である。
【図４】前記実施形態に係るチャタリング・ノイズ除去回路の一接続例を示す回路図である。
【図５】図４に示したチャタリング・ノイズ除去回路の出力波形を示すグラフである。
【図６】図４とは異なるチャタリング・ノイズ除去回路の接続例を示す回路図である。
【図７】図６に示したチャタリング・ノイズ除去回路の出力波形を示すグラフである。
【図８】前記実施形態に係る選択手段を示す回路図である。
【符号の説明】
【００５２】
10    遊技球検出器
11    遊技球
12    通過孔
18    先端部としての当接部
20    電気接点としての接点ピン
22    電気接点としての接点片
26    付勢手段としてのトーションバネ
27    機械式スイッチ
38    ケーシング
47    可動片
50    チャタリング・ノイズ除去回路
51    無接点スイッチング素子としてのトランジスタ
51B   入力端子としてのベース端子
51C   出力端子としてのコレクタ端子
52    静電容量素子であるコンデンサ
53    （入力保護用）直流抵抗素子
54    （電位設定用）直流抵抗素子
α    干渉位置
β    非干渉位
【図１】
2010017462.tif 000003
【図２】
2010017462.tif 000004
【図３】
2010017462.tif 000005
【図４】
2010017462.tif 000006
【図５】
2010017462.tif 000007
【図６】
2010017462.tif 000008
【図７】
2010017462.tif 000009
【図８】
2010017462.tif 000010